(57)【特許請求の範囲】
【請求項１】
複数のネットワークからのサービスを提供しているデジタルテレビ放送システムにおいて、
各ネットワーク毎に、自己のネットワークの伝送諸元と、自己のネットワークを構成しているトランスポンダ毎のサービス番号とが、actual-NITとして送信されているとともに、他のネットワークの伝送諸元と、現在より後に追加、削除または変更される他のネットワークのサービスに関する情報および追加、削除または変更が有効となる有効時刻に関する情報からなるサービス変更情報とが、other-NIT として送信されており、
受信機は、電源投入時に、各ネットワーク毎に送信されているactual-NITおよびother-NIT を受信して、全てのネットワークに対する伝送諸元を記憶するとともに、全てのネットワークに対するサービス変更情報を記憶したサービス変更情報テーブルと、全てのネットワークに対するサービス番号と各サービス番号に対応するネットワークとを記憶したサービステーブルとを作成する手段、
ユーザがサービス番号を入力した場合には、サービステーブルに基づいて、入力されたサービス番号に対応するネットワークを認識することにより、サービス番号に対応した番組を選局する手段、
あるネットワークが提供しているサービスを受信しているときに、当該ネットワークから送信されるactual-NITを周期的に取得し、取得したactual-NITが更新されている場合には、取得したactual-NITに基づいて、サービステーブルを更新させる手段、
あるネットワークが提供しているサービスを受信しているときに、当該ネットワークから送信されるother-NIT を周期的に取得し、サービス変更情報テーブルを更新する必要が有る場合には、サービス変更情報テーブルを更新する手段、ならびに
現在時刻が、サービス変更情報テーブル内のいずれかのサービス変更情報の有効時刻と一致したときには、有効時刻が現在時刻と一致したサービス変更情報に基づいて、サービステーブルを更新させる手段、
を備えていることを特徴とするデジタルテレビ放送システム。
【発明の詳細な説明】
【０００１】
【発明の属する技術分野】
この発明は、複数のネットワークからのサービスを提供しているデジタルテレビ放送システムに関する。
【０００２】
【従来の技術と発明が解決しようとする問題点】
複数の放送送信事業者、すなわち、複数のネットワークからのサービスを、１台のテレビ放送受信機を受信する場合を想定する。各ネットワークは、自己のネットワークを構成している各トランスポンダ毎のサービス番号を送信しているが、他のネットワークを構成している各トランスポンダ毎のサービス番号を送信していない。
【０００３】
このため、受信機側において、現在受信している所定のネットワークのサービス（番組）から、他のネットワークのサービスに、サービスを切り替える場合には、ユーザは、まず、ネットワークの切替を行ってそのネットワークを構成している各トランスポンダ毎のサービス番号を取得した後、番組の切替動作を行わなければならならかった。このような操作は、ユーザにとってはわずらわしいものであった。
【０００４】
そこで、各ネットワーク毎に、自己のネットワークを構成している各トランスポンダ毎のサービス番号とともに、他のネットワークを構成している各トランスポンダ毎のサービス番号を送信するようにし、受信機側では現在受信しているネットワークからこれらの情報を取得して記憶しておき、ネットワークをまたがってのサービスの切替が要求されたときは、その情報をもとに、サービスの切替を行うようなシステムが考えられる。
【０００５】
しかしながら、このようなシステムでは、各ネットワーク毎に、自己のネットワークを構成している各トランスポンダ毎のサービス番号とともに、他のネットワークを構成している各トランスポンダ毎のサービス番号を送信する必要があるため、送信すべき情報量が多くなってしまうという問題がある。
【０００６】
また、各ネットワークが自己のネットワークを構成している各トランスポンダ毎のサービス番号のみを送信している場合において、受信機側で、電源投入時に各ネットワークを順次受信していくことによって、各ネットワークを構成している各トランスポンダ毎のサービス番号を順次取得して記憶しておき、ネットワークをまたがってのサービスの切替が要求されたときは、それらの情報をもとに、サービスの切替を行うようなシステムが考えられる。しかしながら、この方法では、現在受信していないネットワークにおけるサービスが変更、追加または削除された場合は、正常にそのネットワークに移ったときでなければ、その変更内容、追加内容または削除内容を知ることができないため、サービスの切り替えがスムーズに行なわれない場合がある。
【０００７】
【発明が解決しようとする課題】
この発明は、ネットワークをまたがるサービスの切替を、ユーザがネットワークの切替操作を行なうことなく、行なえるようになるデジタルテレビ放送システムを提供することを目的とする。
【０００８】
【課題を解決するための手段】
この発明によるデジタルテレビ放送システムは、複数のネットワークからのサービスを提供しているデジタルテレビ放送システムにおいて、各ネットワーク毎に、自己のネットワークの伝送諸元と、自己のネットワークを構成しているトランスポンダ毎のサービス番号とが、actual-NITとして送信されているとともに、他のネットワークの伝送諸元と、現在より後に追加、削除または変更される他のネットワークのサービスに関する情報および追加、削除または変更が有効となる有効時刻に関する情報からなるサービス変更情報とが、other-NIT として送信されており、受信機は、電源投入時に、各ネットワーク毎に送信されているactual-NITおよびother-NIT を受信して、全てのネットワークに対する伝送諸元を記憶するとともに、全てのネットワークに対するサービス変更情報を記憶したサービス変更情報テーブルと、全てのネットワークに対するサービス番号と各サービス番号に対応するネットワークとを記憶したサービステーブルとを作成する手段、ユーザがサービス番号を入力した場合には、サービステーブルに基づいて、入力されたサービス番号に対応するネットワークを認識することにより、サービス番号に対応した番組を選局する手段、あるネットワークが提供しているサービスを受信しているときに、当該ネットワークから送信されるactual-NITを周期的に取得し、取得したactual-NITが更新されている場合には、取得したactual-NITに基づいて、サービステーブルを更新させる手段、あるネットワークが提供しているサービスを受信しているときに、当該ネットワークから送信されるother-NIT を周期的に取得し、サービス変更情報テーブルを更新する必要が有る場合には、サービス変更情報テーブルを更新する手段、ならびに現在時刻が、サービス変更情報テーブル内のいずれかのサービス変更情報の有効時刻と一致したときには、有効時刻が現在時刻と一致したサービス変更情報に基づいて、サービステーブルを更新させる手段を備えていることを特徴とする。
【０００９】
【発明の実施の形態】
以下、図面を参照して、この発明の実施の形態について説明する。
【００１０】
図１は、デジタル放送受信機の電気的構成を示している。
【００１１】
１はアンテナより放送波を受信して復調し、トランスポートストリーム（以下、ＴＳと略す）を出力するチューナである。２はチューナ１より出力されたＴＳを映像、音声、その他の付加情報に分離するＴＳ分離部である。付加情報はメモリ３に格納される。
【００１２】
５はＴＳ分離部２より出力された映像ＴＳを復号処理し、映像出力を行う映像処理部である。４は番組案内画面等のオンスクリーン画像を生成するオンスクリーン生成部である。１０は映像処理部５によって得られた映像出力に対して、オンスクリーン生成部４によって生成されたオンスクリーン画像を重ねて画面表示するための画像合成部である。画像合成部１０によって得られた映像信号は、映像出力端子７に送られる。
【００１３】
６はＴＳ分離部２より出力された音声ＴＳを復号処理し、音声出力を行う為の音声処理部である。音声処理部６によって得られた音声信号は、音声出力端子８に送られる。９は、デジタル放送受信機の各部を制御するためのＣＰＵである。
【００１４】
この例では、デジタル放送受信機は、複数のネットワークを受信できるようになっているものとする。各ネットワークは、ＮＩＴ（Network Information Table)として、actual-NITおよびother-NIT を周期的に送信する。
【００１５】
actual-NIT には、自己のネットワークの伝送諸元と、自己のネットワークを構成している各トランスポンダ毎のサービス番号とが含まれている。自己のネットワークの伝送諸元には、自己のネットワークを構成している各トランスポンダ毎の、周波数、衛星の軌道位置および変調方式などの送信情報が含まれている。
【００１６】
other-NIT には、他のネットワークの伝送諸元と、サービス変更情報とが含まれている。他のネットワークの伝送諸元には、他のネットワークを構成している各トランスポンダ毎の、周波数、衛星の軌道位置および変調方式などの送信情報が含まれている。サービス変更情報は、現在より後に追加、削除または変更される他のネットワークのサービスに関する情報と、追加、削除または変更が有効となる有効時刻に関する情報とからなる。
【００１７】
図２は、電源投入時にデジタル放送受信機によって行なわれる初期サービステーブル作成処理手順を示している。
【００１８】
まず、所定のネットワークから送信されているactual-NITおよびother-NIT を取得して記憶する（ステップ１）。つまり、ＣＰＵ９は、チューナ１を制御して、所定のネットワークに対応するトランスポンダに受信したいトランスポンダを切り替える。これにより、所定のネットワークに対応するトランスポートストリームがチューナ１を介してＴＳ分離部２に送られてくる。ＴＳ分離部２は、トランスポートストリームからactual-NITおよびother-NIT を取得してメモリ３に記憶する。
【００１９】
次に、actual-NITおよびother-NIT を取得していない他のネットワークが存在するか否かを判定する（ステップ２）。
【００２０】
actual-NITおよびother-NIT を取得していない他のネットワークが存在する場合には、順次、トランスポンダを切り替えて（ステップ３）、他のネットワークから送信されているactual-NITおよびother-NIT を取得して記憶する（ステップ１）。
【００２１】
全てのネットワークからactual-NITおよびother-NIT を取得した場合には、全てのネットワークに対するサービス変更情報を記憶したサービス変更情報テーブルと、ユーザがネットワークの切り替え操作を行なうことなくサービスを切り替えるようにするためのサービステーブルとを作成する（ステップ４）。この後、通常の動作となる。
【００２２】
サービステーブルは、図３に一例を示すように、全てのネットワークに対するサービス番号と各サービス番号に対応するネットワークとを記憶したテーブルである。この例では、サービス番号１０１〜１０５がネットワークＡに対するサービス番号であり、サービス番号１１１〜１１５がネットワークＢに対するサービス番号である。
【００２３】
ユーザが、サービス番号を入力すると、ＣＰＵ９は、サービステーブルから入力されたサービス番号に対応するネットワークを認識することができるため、ユーザにネットワークの切り替え操作を行なわせることなく、入力されたサービス番号に対応する番組を受信することができるようになる。
【００２４】
図４は、通常動作中において、ＣＰＵ９によって行なわれるactual-NITの取得処理を示している。
【００２５】
actual-NITの取得タイミングがくると（ステップ１１）、actual-NITを取得する（ステップ１２）。つまり、ＣＰＵ９は、actual-NITの取得タイミングになると、ＴＳ分離部２にactual-NIT取得指令を出力する。ＴＳ分離部２は、actual-NIT取得指令を受信すると、現在受信中のトランスポートストリームからactual-NITを取得してメモリ３に記憶させる。
【００２６】
次に、今回取得した現在受信中のネットワークに対するactual-NITと、前回取得した同じネットワークに対するactual-NITとを比較し（ステップ１３）、現在受信中のネットワークのサービスが変更されている場合には、ＣＰＵ９は、変更された情報にしたがって、サービステーブルを更新する（ステップ１４）。
【００２７】
図５は、通常動作中において、ＣＰＵ９によって行なわれるother-NIT の取得処理を示している。
【００２８】
other-NIT の取得タイミングがくると（ステップ２１）、other-NIT を取得する（ステップ２２）。つまり、ＣＰＵ９は、other-NIT の取得タイミングになると、ＴＳ分離部２にother-NIT 取得指令を出力する。ＴＳ分離部２は、other-NIT 取得指令を受信すると、現在受信中のトランスポートストリームからother-NIT を取得してメモリ３に記憶させる。
【００２９】
次に、今回取得したother-NIT に含まれているサービス変更情報と、サービス変更情報テーブルとを比較し、新たに追加されているサービス変更情報があれば、サービス変更情報テーブルにその情報を追加する（ステップ２３）。
【００３０】
図６は、通常動作中において、ＣＰＵ９によって行なわれるサービス変更情報に基づくサービステーブル更新処理手順を示している。
【００３１】
現在の時刻情報を取得すると（ステップ３１）、サービス変更情報テーブル内のいずれかのサービス変更情報の有効時刻と現在時刻とが一致するか否かを判定する（ステップ３２）。
【００３２】
現在時刻がいずれのサービス変更情報の有効時刻とも一致しない場合には、ステップ３１に戻る。現在時刻がいずれかのサービス変更情報の有効時刻と一致した場合には、対応するサービス変更情報にしたがってサービステーブルを更新する（ステップ３３）。そして、サービス変更情報テーブルから当該サービス変更情報を削除する（ステップ３４）。
【００３３】
【発明の効果】
この発明によれば、ネットワークをまたがるサービスの切替を、ユーザがネットワークの切替操作を行なうことなく、行なえるようになる。
【図面の簡単な説明】
【図１】デジタル放送受信機の電気的構成を示すブロック図である。
【図２】電源投入時にデジタル受信機によって行なわれる初期サービステーブル作成処理手順を示すフローチャートである。
【図３】サービステーブルの一例を示す模式図である。
【図４】通常動作中において、ＣＰＵ９によって行なわれるactual-NITの取得処理手順を示すフローチャートである。
【図５】通常動作中において、ＣＰＵ９によって行なわれるother-NIT の取得処理手順を示すフローチャートである。
【図６】通常動作中において、ＣＰＵ９によって行なわれるサービス変更情報に基づくサービステーブル更新処理手順を示すフローチャートである。
【符号の説明】
１  チューナ
２  ＴＳ分離部
３  メモリ
４  オンスクリーン生成部
５  映像処理部
６  音声処理部
９  ＣＰＵ
１０  画像合成部
【図１】
0003676165.tif 000002
【図２】
0003676165.tif 000003
【図３】
0003676165.tif 000004
【図４】
0003676165.tif 000005
【図５】
0003676165.tif 000006
【図６】
0003676165.tif 000007